(57)【要約】    【課題】不要な登録情報が他の端末に移し替えられるのを防止し、登録情報を移し替えられた端末において記憶容量が無駄に消費されるのを避ける車載情報端末を提供する。    【解決手段】ユーザによって登録された登録地データをフラッシュメモリに記憶しておき、登録地データの抽出条件として目的地回数を設定する（ステップＳ１０）。記憶された登録地データのうち、過去に目的地に設定された回数が抽出条件とした目的地回数以上である登録地データや（ステップＳ５０）、抽出条件未満でユーザに選択された登録地データを（ステップＳ９０）、エクスポートデータとしてメモリカードへ出力し、メモリカードに書き込む（ステップＳ１１０）。【選択図】図７
2007017332.tif 000002
【特許請求の範囲】
【請求項１】
ユーザによって登録された登録情報を用いて各種の処理を実行するとともに、接続された中継手段を介してその登録情報を外部へ出力する車載情報端末において、
前記登録情報を記憶する記憶手段と、
前記記憶手段により記憶された登録情報の一部をその使用履歴に基づいて抽出する抽出手段と、
前記抽出手段により抽出された登録情報を前記中継手段に出力する出力手段とを備えることを特徴とする車載情報端末。
【請求項２】
請求項１の車載情報端末において、
前記登録情報とは、ユーザによって登録された各登録地の位置情報と、各登録地が過去に目的地に設定された回数情報とを少なくとも含む登録地データであり、
前記抽出手段は、前記記憶手段により記憶された登録地データのうち、過去に目的地に設定された回数が抽出条件として設定された回数以上である登録地についての登録地データを抽出することを特徴とする車載情報端末。
【請求項３】
請求項２の車載情報端末において、
前記記憶手段により記憶された登録地データであって、前記抽出手段により抽出されなかった登録地データの中から、いずれかの登録地データをユーザの操作に応じて選択する選択手段をさらに備え、
前記出力手段は、前記抽出手段により抽出された登録地データと、前記選択手段により選択された登録地データとを前記中継手段に出力することを特徴とする車載情報端末。
【請求項４】
請求項３の車載情報端末において、
前記登録地データには、各登録地が最後に目的地に設定された日付情報がさらに含まれており、
前記記憶手段により記憶された登録地データであって、前記抽出手段により抽出されなかった登録地データについて、前記日付情報を含む登録地データの一覧画面を表示モニタに表示し、
前記一覧画面の中からいずれかの登録地データを前記選択手段により選択することを特徴とする車載情報端末。
【請求項５】
外部の端末においてユーザによって登録された登録情報を、接続された中継手段を介して入力し、その登録情報を用いて各種の処理を実行する車載情報端末において、
前記入力された登録情報の一部をその使用履歴に基づいて抽出する抽出手段と、
前記抽出手段により抽出された登録情報を記憶する記憶手段とを備えることを特徴とする車載情報端末。
【請求項６】
請求項５の車載情報端末において、
前記登録情報とは、ユーザによって登録された各登録地の位置情報と、各登録地が過去に目的地に設定された回数情報とを少なくとも含む登録地データであり、
前記抽出手段は、前記入力された登録地データのうち、過去に目的地に設定された回数が抽出条件として設定された回数以上である登録地についての登録地データを抽出することを特徴とする車載情報端末。
【請求項７】
請求項６の車載情報端末において、
前記入力された登録地データであって、前記抽出手段により抽出されなかった登録地データの中から、いずれかの登録地データをユーザの操作に応じて選択する選択手段をさらに備え、
前記記憶手段は、前記抽出手段により抽出された登録地データと、前記選択手段により選択された登録地データとを記憶することを特徴とする車載情報端末。
【請求項８】
請求項７の車載情報端末において、
前記登録地データには、各登録地が最後に目的地に設定された日付情報がさらに含まれており、
前記入力された登録地データであって、前記抽出手段により抽出されなかった登録地データについて、前記日付情報を含む登録地データの一覧画面を表示モニタに表示し、
前記一覧画面の中からいずれかの登録地データを前記選択手段により選択することを特徴とする車載情報端末。
【発明の詳細な説明】
【技術分野】
【０００１】
本発明は、ユーザに登録された登録情報を他の端末に移し替えることができる車載情報端末に関する。
【背景技術】
【０００２】
ユーザが自宅など特定の地点を登録地として予め登録しておき、その登録地から選択した地点を目的地に設定することにより、使用頻度の高い目的地について素早く設定できるようにしたナビゲーション装置が広く知られている。このようなナビゲーション装置において、メモリカードのような不揮発性の記憶媒体を用いて、登録地のデータを他のナビゲーション装置に移し替えることができるものが知られている（特許文献１）。
【０００３】
【特許文献１】特開平１１−８３５２７号公報
【発明の開示】
【発明が解決しようとする課題】
【０００４】
特許文献１に開示されるナビゲーション装置では、登録されている全ての登録地データが他のナビゲーション装置へと移し替えられる。したがって、実際には使用されていない不要な登録地データまでもが移し替えられてしまうため、その登録地データを移し替えられた他のナビゲーション装置において、記憶容量が無駄に消費されるという問題が生じている。
【課題を解決するための手段】
【０００５】
請求項１の発明は、ユーザによって登録された登録情報を用いて各種の処理を実行するとともに、接続された中継手段を介してその登録情報を外部へ出力する車載情報端末において、登録情報を記憶する記憶手段と、記憶手段により記憶された登録情報の一部をその使用履歴に基づいて抽出する抽出手段と、抽出手段により抽出された登録情報を中継手段に出力する出力手段とを備えるものである。
請求項２の発明は、請求項１の車載情報端末において、登録情報とは、ユーザによって登録された各登録地の位置情報と、各登録地が過去に目的地に設定された回数情報とを少なくとも含む登録地データであり、抽出手段は、記憶手段により記憶された登録地データのうち、過去に目的地に設定された回数が抽出条件として設定された回数以上である登録地についての登録地データを抽出するものである。
請求項３の発明は、請求項２の車載情報端末において、記憶手段により記憶された登録地データであって、抽出手段により抽出されなかった登録地データの中から、いずれかの登録地データをユーザの操作に応じて選択する選択手段をさらに備え、出力手段は、抽出手段により抽出された登録地データと、選択手段により選択された登録地データとを中継手段に出力するものである。
請求項４の発明は、請求項３の車載情報端末において、登録地データには、各登録地が最後に目的地に設定された日付情報がさらに含まれており、記憶手段により記憶された登録地データであって、抽出手段により抽出されなかった登録地データについて、日付情報を含む登録地データの一覧画面を表示モニタに表示し、その一覧画面の中からいずれかの登録地データを選択手段により選択するものである。
請求項５の発明は、外部の端末においてユーザによって登録された登録情報を、接続された中継手段を介して入力し、その登録情報を用いて各種の処理を実行する車載情報端末において、入力された登録情報の一部をその使用履歴に基づいて抽出する抽出手段と、抽出手段により抽出された登録情報を記憶する記憶手段とを備えるものである。
請求項６の発明は、請求項５の車載情報端末において、登録情報とは、ユーザによって登録された各登録地の位置情報と、各登録地が過去に目的地に設定された回数情報とを少なくとも含む登録地データであり、抽出手段は、入力された登録地データのうち、過去に目的地に設定された回数が抽出条件として設定された回数以上である登録地についての登録地データを抽出するものである。
請求項７の発明は、請求項６の車載情報端末において、入力された登録地データであって、抽出手段により抽出されなかった登録地データの中から、いずれかの登録地データをユーザの操作に応じて選択する選択手段をさらに備え、記憶手段は、抽出手段により抽出された登録地データと、選択手段により選択された登録地データとを記憶するものである。
請求項８の発明は、請求項７の車載情報端末において、登録地データには、各登録地が最後に目的地に設定された日付情報がさらに含まれており、入力された登録地データであって、抽出手段により抽出されなかった登録地データについて、日付情報を含む登録地データの一覧画面を表示モニタに表示し、一覧画面の中からいずれかの登録地データを選択手段により選択するものである。
【発明の効果】
【０００６】
本発明によれば、登録地データなどのユーザに登録された登録情報を他の端末に移し替えることができる車載情報端末において、不要な登録情報が移し替えられるのを防止して、登録情報を移し替えられた端末において記憶容量が無駄に消費されるのを避けることができる。
【発明を実施するための最良の形態】
【０００７】
−第１の実施の形態−
本発明の一実施形態によるナビゲーション装置の構成を図１に示す。ナビゲーション装置１とナビゲーション装置２は、同じ構成を有しており、不揮発性の可般型記憶媒体であるメモリカード３を挿し換えて交換することにより、メモリカード３を介して登録地データを移し替えることができる。以下ではナビゲーション装置１の構成について説明し、ナビゲーション装置２は同じ構成であるため説明を省略する。
【０００８】
ナビゲーション装置１は、メモリカードスロット１０、制御回路１１、ＲＯＭ１２、ＲＡＭ１３、現在地検出装置１４、フラッシュメモリ１５、表示モニタ１６、入力装置１７およびディスクドライブ１８を有している。メモリカードスロット１０には、メモリカード３が装填される。ディスクドライブ１８には、地図データが記録されたＤＶＤ−ＲＯＭ１９が装填される。
【０００９】
制御回路１１は、マイクロプロセッサおよびその周辺回路からなり、ＲＡＭ１３を作業エリアとしてＲＯＭ１２に格納された制御プログラムを実行することにより、各種の処理や制御を行う。この制御回路１１において、ＤＶＤ−ＲＯＭ１９に記録された地図データに基づいて、設定された目的地までの推奨経路の探索処理など、様々な処理が行われる。
【００１０】
現在地検出装置１４は、自車両の現在地を検出する装置であり、たとえば、自車両の進行方向を検出する振動ジャイロ１４ａ、車速を検出する車速センサ１４ｂ、ＧＰＳ衛星からのＧＰＳ信号を検出するＧＰＳセンサ１４ｃ等からなる。ナビゲーション装置１は、この現在地検出装置１４により検出された自車両の現在地に基づいて、推奨経路を探索するときの経路探索開始点を決定することができる。
【００１１】
フラッシュメモリ１５は、ナビゲーション装置１の電源が切断されてもその記憶内容を保持できる不揮発性のメモリである。フラッシュメモリ１５には、ユーザによって登録された登録地データが記憶される。ユーザは、特定の地点を地図上で指定し、その地点を登録地として予め登録しておくことができる。各登録地の名称は、地図データに基づいて自動的に対応する地名や施設名などが付与されるが、たとえば「自宅」などのように、ユーザが任意の名称を付与することもできる。
【００１２】
フラッシュメモリ１５により記憶された登録地データは、ユーザの操作によって目的地の設定時に呼び出し、いずれかの登録地を目的地として選択することができる。なお、後述するようにＤＶＤ−ＲＯＭ１９の代わりにハードディスクから地図データを読み出す場合には、フラッシュメモリ１５を使用せず、そのハードディスクに登録地データを記録することとしてもよい。
【００１３】
表示モニタ１６は、ＤＶＤ−ＲＯＭ１９に記録されている地図データ等に基づいて制御回路１１により作成される画像データを用いて、地図画像などの様々な画像を表示する。入力装置１７は、登録地の設定や推奨経路を探索するための目的地設定など、様々な操作入力をユーザが行うための各種の入力スイッチを有している。この入力装置１７は、操作パネルやリモコンなどによって実現される。ユーザは、表示モニタ１６に表示される画面指示に従って入力装置１７を適宜操作することで、各種処理をナビゲーション装置１に実行させることができる。
【００１４】
ディスクドライブ１８は、装填されたＤＶＤ−ＲＯＭ１９より地図データを読み出す。地図データには、目的地までのルート探索に用いられる経路計算データや、交差点名称および道路名称など、推奨経路に従って自車両を目的地まで誘導するために用いられる経路誘導データ、道路を表す道路データなどが含まれている。また、各種施設や河川、鉄道など、道路以外の地図形状を表す背景データなども地図データに含まれている。
【００１５】
道路データにおいて、道路区間を表す最小単位はリンクと呼ばれており、各道路は複数のリンクによって構成されている。リンク同士を接続している点はノードと呼ばれ、このノードはそれぞれに位置情報（座標情報）を有している。このノードの位置情報によって、リンク形状、すなわち道路の形状が決定される。なお、ここではＤＶＤ−ＲＯＭを用いた例について説明しているが、ＤＶＤ−ＲＯＭ以外の他の記録メディア、たとえばＣＤ−ＲＯＭやハードディスクなどより、地図データを読み出すこととしてもよい。
【００１６】
ユーザが入力装置１７を操作して目的地を設定すると、ナビゲーション装置１は、現在地検出装置１４により検出された現在地を経路探索開始点として、前述の経路計算データに基づいて所定のアルゴリズムの演算を行うことにより、現在地から目的地までのルート探索を行う。ルート探索の結果求められた推奨経路は、その表示形態、たとえば表示色などを変えることによって、他の道路とは区別して地図上に表される。これにより、ユーザは推奨経路を表示モニタ１６に表示された地図上において認識することができる。また、この推奨経路に従って自車両が走行できるよう、ナビゲーション装置１は、ユーザに対して画像や音声などによる進行方向指示を行うことにより、自車両を誘導する。このように、地図上に表示された推奨経路に従って自車両を目的地まで誘導することにより、目的地までのルート案内が行われる。
【００１７】
図２は、フラッシュメモリ１５に記憶されている登録地データの例である。ここでは、「自宅」、「Ｔドーム」、「Ｏドーム」、「Ｄランド」、「Ｓランド」および「Ｍ病院」の合計６ヶ所の登録地データが記録されている例を示している。図２に示すように、登録地データには各登録地の名称と、各登録地の地図上の位置を表す座標値と、各登録地の種別を表すグループ番号（Ｇｒ）と、各登録地が過去にそれぞれ目的地に設定された回数を表す目的地回数と、各登録地が最後に目的地に設定された日付を表す最終使用日とが記録されている。このうち目的地回数と最終使用日は、ユーザの使用履歴に応じて随時更新される。
【００１８】
登録地から目的地を設定する際には、最初に登録地の一覧が表示され、その一覧からいずれかの登録地がユーザに選択されると、その登録地の位置が表示される。その後、選択された目的地を登録地に設定するか否かがユーザによって選択される。したがって、目的地回数については、実際に目的地に設定された場合のみカウントアップしてもよいし、あるいは目的地に設定されなくても、登録地の一覧から選択されてその位置が表示された場合にカウントアップするようにしてもよい。
【００１９】
ナビゲーション装置１においてフラッシュメモリ１５に記憶された図２の登録地データを、メモリカード３を介してナビゲーション装置２へ移し替える方法について説明する。メモリカード３がメモリカードスロット１０に装填されると、ナビゲーション装置１とメモリカード３が接続される。この状態で、入力装置１７を用いて所定のメニュー操作がユーザにより行われると、登録地データの移し替え処理が開始される。
【００２０】
登録地データの移し替え処理が開始されると、初めに図３に示すような画面が表示モニタ１６に表示される。この画面では、各登録地の使用履歴、すなわち過去に目的地に設定された回数により、登録地データの抽出条件が設定される。ユーザが入力装置１７を用いてタブ３１を選択すると、登録地データの抽出条件として設定可能な目的地回数の値が一覧表示される。その中からユーザに選択された目的地回数が、登録地データの抽出条件として設定される。図３では、目的地回数に「３」を選択して登録地データの抽出条件に設定した例を示している。
【００２１】
上記のようにして登録地データの抽出条件が設定されると、フラッシュメモリ１５に記録されている登録地データのうち、設定された抽出条件を満たす登録地データが表示モニタ１６に一覧表示される。すなわち、過去に目的地に設定された回数が図３の画面によって抽出条件に設定された目的地回数以上である登録地について、登録地データが一覧表示される。
【００２２】
抽出条件を満たす登録地データを一覧表示した画面例を図４に示す。図３の抽出条件設定画面において登録地データの抽出条件に「３」を選択したため、図２の登録地データのうち、目的地回数の値が３以上である登録地データが図４の画面に一覧表示されている。なお、この例ではユーザが各登録地データの内容を確認しやすくするため、各登録地の名称、目的地回数および最終使用日を表示しているが、他の項目を表示することとしてもよい。
【００２３】
図４に示す抽出条件を満たす登録地データ一覧画面では、ここで表示された登録地データがエクスポートの対象データであることを示している。なお、ナビゲーション装置１からナビゲーション装置２へ登録地データを移し替えるために、フラッシュメモリ１５の登録地データをメモリカード３に記録することを「エクスポート」という。また、エクスポートされた登録地データをメモリカード３から読み出してナビゲーション装置２に取り込むことを「インポート」という。エクスポートはナビゲーション装置１において行われ、インポートはナビゲーション装置２において行われる。
【００２４】
図４の画面においてユーザの操作により確認ボタン３２が押されると、この一覧表示された登録地データがエクスポートデータとして抽出される。その後、抽出条件を満たさない登録地データが表示モニタ１６に一覧表示される。その画面例を図５に示す。ここでは、図４の画面に表示されなかった登録地データが一覧表示される。すなわち、過去に目的地に設定された回数が、抽出条件として設定された目的地回数の３回未満である登録地についての登録地データが一覧表示される。
【００２５】
図５に示す抽出条件を満たさない登録地データ一覧画面には、登録地データの内容とともに、登録地の各々を選択するためのチェック欄が表示される。ユーザは入力装置１７の操作によっていずれかの登録地のチェック欄にチェックマークを付けることにより、設定された抽出条件を満たさない登録地データであっても、その登録地データをエクスポートの対象に含めることができる。図５の例では、「Ｔドーム」と「Ｓランド」の登録地データが選択されている様子を示している。
【００２６】
図５の画面においてユーザの操作により確認ボタン３３が押されると、チェックされた登録地データがエクスポートデータに含められた後、次に図６に示すようなエクスポートデータの一覧画面が表示モニタ１６に表示される。この画面では、図４の画面に表示された抽出条件を満たす登録地データと、図５の画面に表示された抽出条件を満たさない登録地データの中でユーザに選択された登録地データとが、エクスポート対象の登録地データとして一覧表示される。これらの登録地データが、メモリカードスロット１０によってナビゲーション装置１から出力され、メモリカード３に記録される。
【００２７】
以上説明したようにして登録地データがメモリカード３に記録された後、ユーザがそのメモリカード３をナビゲーション装置１からナビゲーション装置２へ挿し換えると、エクスポートされた登録地データがナビゲーション装置２においてインポートされる。インポートされた登録地データは、ナビゲーション装置２のフラッシュメモリ２５によって記憶される。このようにして、ナビゲーション装置１からナビゲーション装置２への登録地データの移し替えが行われる。
【００２８】
ナビゲーション装置１において登録地データをエクスポートするときのフローチャートを図７に示す。このフローチャートは、メモリカード３がメモリカードスロット１０に装填されている状態で、ユーザのメニュー操作に応じて上記に説明したような登録地データの移し替え処理が開始されると、制御回路１１によって実行されるものである。ステップＳ１０では、図３の抽出条件設定画面を表示モニタ１６に表示し、その画面において登録地データの抽出条件をユーザの操作に応じて設定する。
【００２９】
ステップＳ２０では、ナビゲーション装置１において登録されている登録地データをフラッシュメモリ１５から読み出す。次のステップＳ３０では、ステップＳ２０で読み出した登録地データのうち、ステップＳ１０で設定された抽出条件を満たす登録地データを表示モニタ１６に一覧表示する。すなわち、過去に目的地に設定された回数が抽出条件に設定された目的地回数以上である登録地データを一覧表示する。これにより、図４のように抽出条件を満たす登録地データ一覧画面が表示される。
【００３０】
ステップＳ４０では、図４の確認ボタン３２が押されたか否かを判定する。確認ボタン３２が押された場合は次のステップＳ５０へ進む。ステップＳ５０では、ステップＳ３０において一覧表示した登録地データをエクスポートデータに加える。これにより、設定された抽出条件を満たす登録地データが抽出される。
【００３１】
ステップＳ６０では、ステップＳ２０で読み出した登録地データのうち、ステップＳ１０で設定された抽出条件を満たさない登録地データを表示モニタ１６に一覧表示する。すなわち、過去に目的地に設定された回数が抽出条件に設定された目的地回数未満であり、ステップＳ３０において一覧表示されなかった登録地データを一覧表示する。これにより、図５のように抽出条件を満たさない登録地データ一覧画面が表示される。この画面において、チェック欄にチェックマークを付けることにより、ユーザの操作に応じて任意の登録地が選択される。
【００３２】
ステップＳ７０では、図５の確認ボタン３３が押されたか否かを判定する。確認ボタン３３が押された場合は次のステップＳ８０へ進む。ステップＳ８０では、ステップＳ６０で一覧表示した登録地データにおいて、いずれかの登録地がチェックされたか否かを判定する。いずれかの登録地がチェックされた場合はステップＳ９０へ進み、ステップＳ９０において、その登録地データをエクスポートデータに加える。これにより、設定された抽出条件を満たさない登録地データの中から、ユーザの操作に応じて選択された登録地データがエクスポートデータに加えられる。ステップＳ９０を実行したら、次のステップＳ１００へ進む。一方、ステップＳ８０においていずれの登録地もチェックされていないと判定された場合は、ステップＳ９０を実行せずにステップＳ１００へ進む。
【００３３】
ステップＳ１００では、エクスポートデータを表示モニタ１６に一覧表示する。これにより、図６のエクスポートデータ一覧画面が表示される。このエクスポートデータには、ステップＳ５０において加えられた登録地データと、ステップＳ９０において加えられた登録地データとが含まれている。
【００３４】
ステップＳ１１０では、ステップＳ１００で一覧表示したエクスポートデータをメモリカード３に書き込む。ステップＳ１１０を実行したら図７のフローチャートを終了する。こうしてナビゲーション装置１の登録地データの一部がエクスポートデータとしてメモリカード３に書き込まれたら、ユーザがそのメモリカード３をナビゲーション装置２のメモリカードスロット２０へと挿し換えることにより、当該登録地データがナビゲーション装置２にインポートされる。このようにして、登録地データの移し替えが行われる。
【００３５】
以上説明した第１の実施の形態によれば、次の作用効果を奏する。
（１）ユーザによって登録された登録地データをフラッシュメモリ１５に記憶しておき、その登録地データの一部を、その使用履歴に基づいて、ステップＳ１０において設定された抽出条件を用いて、エクスポートデータとして抽出する（ステップＳ５０）。こうして抽出された登録地データを、メモリカードスロット１０からメモリカード３へ出力し、メモリカード３に記録する（ステップＳ１１０）。このようにしたので、不要な登録地データがナビゲーション装置１からナビゲーション装置２へ移し替えられるのを防止して、ナビゲーション装置２においてフラッシュメモリ２５の記憶容量が無駄に消費されるのを避けることができる。
【００３６】
（２）抽出条件として目的地回数を設定し（ステップＳ１０）、フラッシュメモリ１５により記憶された登録地データのうち、過去に目的地に設定された回数がその目的地回数以上である登録地についての登録地データを一覧表示して（ステップＳ３０）、これらの登録地データをエクスポートデータに加えることにより（ステップＳ５０）、抽出条件を満たす登録地データを抽出することとした。このようにしたので、ユーザの使用頻度に応じて適切な登録地データを移し替えることができる。
【００３７】
（３）フラッシュメモリ１５により記憶された登録地データであって、ステップＳ５０で抽出されなかった登録地データを一覧表示し、その中でいずれかの登録地データをユーザの操作に応じて選択する（ステップＳ６０）。こうして選択された登録地データをエクスポートデータに加え（ステップＳ９０）、ステップＳ５０で抽出された登録地データと共に、メモリカードスロット１０からメモリカード３へ出力し、メモリカード３に記録することとした（ステップＳ１１０）。このようにしたので、ユーザの使用頻度が低い登録地データであっても、ユーザが希望した場合は、その登録地データを移し替えることができる。
【００３８】
（４）ステップＳ６０において、抽出条件を満たさずにステップＳ５０で抽出されなかった登録地データを一覧表示するときに、各登録地が最後に目的地に設定された日付情報を含む登録地データの一覧画面を表示モニタ１６に表示する。この一覧画面の中から、いずれかの登録地データをユーザの操作に応じて選択することとした。このようにしたので、ユーザは最近の使用状況を確認した上で、登録地データを移し替えるか否かを判断することができる。
【００３９】
−第２の実施の形態−
本発明の第２の実施形態について説明する。上記で説明した第１の実施形態では、ナビゲーション装置１において図７のフローチャートを実行することにより、抽出条件を満たす登録地データやユーザに選択された登録地データのみをエクスポートし、それ以外の登録地データをメモリカード３に記録しないようにしていた。これに対して本実施の形態では、ナビゲーション装置１においてエクスポートする際には全ての登録地データをメモリカード３に記録し、ナビゲーション装置２においてインポートするときに、抽出条件を満たす登録地データやユーザに選択された登録地データのみを取り込むようにする。なお、本実施形態におけるナビゲーション装置１および２の構成は、図１に示す第１の実施の形態のものと同じであるため、説明を省略する。
【００４０】
ナビゲーション装置２において登録地データをインポートするときのフローチャートを図８に示す。このフローチャートは、ナビゲーション装置１からエクスポートされた登録地データを記録されたメモリカード３がメモリカードスロット２０に装填されているときに、制御回路２１によって実行されるものである。なお、ナビゲーション装置１における登録地データのエクスポートは、メモリカード３がメモリカードスロット１０に装填されている状態で、ユーザのメニュー操作に応じて登録地データの移し替え処理が開始されることにより行われる。このとき、ナビゲーション装置１に登録されている全ての登録地データがエクスポートされてメモリカード３に記録される。
【００４１】
ステップＳ２１０では、図７のステップＳ１０と同様に、図３のような抽出条件設定画面を表示モニタ１６に表示することにより、登録地データの抽出条件を設定する。ステップＳ２２０では、メモリカード３からエクスポートデータを読み出す。これにより、ナビゲーション装置１においてユーザによって登録された登録情報が、接続されたメモリカード３を介してナビゲーション装置２に入力される。
【００４２】
ステップＳ２３０では、図７のステップＳ３０と同様に、ステップＳ２２０で読み出した登録地データのうち、ステップＳ２１０で設定された抽出条件を満たす登録地データを図４と同様の画面により表示モニタ１６に一覧表示する。なお、図４の画面では当該登録地データがエクスポートされる旨が表示されているが、ここで表示される画面では、代わりにインポートされる旨が表示される。
【００４３】
ステップＳ２４０では、確認ボタン３２が押されたか否かを判定する。確認ボタン３２が押された場合はステップＳ２５０へ進む。ステップＳ２５０では、ステップＳ２３０において一覧表示した登録地データをインポートデータに加える。これにより、設定された抽出条件を満たす登録地データが抽出される。
【００４４】
ステップＳ２６０では、ステップＳ２２０で読み出した登録地データのうち、ステップＳ２１０で設定された抽出条件を満たさない登録地データを図５と同様の画面により表示モニタ１６に一覧表示する。この画面においてチェック欄にチェックマークを付けることにより、ユーザの操作に応じて任意の登録地が選択される。なお、図５の画面ではエクスポートする登録地データを選択する旨が表示されているが、ここで表示される画面では、代わりにインポートする登録地データを選択する旨が表示される。
【００４５】
ステップＳ２７０では、確認ボタン３３が押されたか否かを判定する。確認ボタン３３が押された場合は次のステップＳ２８０へ進む。ステップＳ２８０では、ステップＳ２６０で一覧表示した登録地データにおいて、いずれかの登録地がチェックされたか否かを判定する。いずれかの登録地がチェックされた場合はステップＳ２９０へ進み、ステップＳ２９０において、その登録地データをインポートデータに加える。これにより、設定された抽出条件を満たさない登録地データの中から、ユーザの操作に応じて選択された登録地データがインポートデータに加えられる。ステップＳ２９０を実行したら、次のステップＳ３００へ進む。一方、ステップＳ２８０においていずれの登録地もチェックされていないと判定された場合は、ステップＳ２９０を実行せずにステップＳ３００へ進む。
【００４６】
ステップＳ３００では、図６と同様の画面により、インポートデータを表示モニタ１６に一覧表示する。このインポートデータには、ステップＳ２５０において加えられた登録地データと、ステップＳ２９０において加えられた登録地データとが含まれている。なお、図５の画面ではこれらの登録地データがエクスポートデータである旨が表示されているが、ここで表示される画面では、代わりにインポートデータである旨が表示される。
【００４７】
ステップＳ３１０では、ステップＳ３００で一覧表示したインポートデータをフラッシュメモリ２５に書き込む。これにより、当該登録データがフラッシュメモリ２５によって記憶される。ステップＳ３１０を実行したら図８のフローチャートを終了する。このようにして、登録地データの移し替えが行われる。
【００４８】
以上説明した第２の実施の形態によれば、次の作用効果を奏する。
（５）メモリカードスロット２０にメモリカード３が装填され、ナビゲーション装置２とメモリカード３が接続された状態で、ナビゲーション装置１においてユーザによって登録された登録地データを、メモリカード３を介して入力する。そして、その登録地データの一部を、その使用履歴に基づいて、ステップＳ２１０において設定された抽出条件を用いて、インポートデータとして抽出する（ステップＳ２５０）。こうして抽出された登録地データを、フラッシュメモリ２５に書き込んで記憶する（ステップＳ３１０）。このようにしたので、第１の実施の形態と同様に、不要な登録地データがナビゲーション装置１からナビゲーション装置２へ移し替えられるのを防止して、ナビゲーション装置２においてフラッシュメモリ２５の記憶容量が無駄に消費されるのを避けることができる。
【００４９】
（６）抽出条件として目的地回数を設定し（ステップＳ２１０）、メモリカード３より入力された登録地データのうち、過去に目的地に設定された回数がその目的地回数以上である登録地についての登録地データを一覧表示して（ステップＳ２３０）、これらの登録地データをインポートデータに加えることにより（ステップＳ２５０）、抽出条件を満たす登録地データを抽出することとした。このようにしたので、第１の実施の形態と同様に、ユーザの使用頻度に応じて適切な登録地データを移し替えることができる。
【００５０】
（７）メモリカード３より入力された登録地データであって、ステップＳ２５０で抽出されなかった登録地データを一覧表示し、その中でいずれかの登録地データをユーザの操作に応じて選択する（ステップＳ２６０）。こうして選択された登録地データをインポートデータに加え（ステップＳ２９０）、ステップＳ２５０で抽出された登録地データと共に、フラッシュメモリ２５により記憶することとした。このようにしたので、第１の実施の形態と同様に、ユーザの使用頻度が低い登録地データであっても、ユーザが希望した場合は、その登録地データを移し替えることができる。
【００５１】
（８）ステップＳ２６０において、抽出条件を満たさずにステップＳ２５０で抽出されなかった登録地データを一覧表示するときに、各登録地が最後に目的地に設定された日付情報を含む登録地データの一覧画面を表示モニタ１６に表示する。この一覧画面の中から、いずれかの登録地データをユーザの操作に応じて選択することとした。このようにしたので、第１の実施の形態と同様に、ユーザは最近の使用状況を確認した上で、登録地データを移し替えるか否かを判断することができる。
【００５２】
なお、上記の各実施の形態では、図７のフローチャートをナビゲーション装置１において実行する場合と、図８のフローチャートをナビゲーション装置２において実行する場合とを別々の実施形態として説明したが、これらを同一の実施形態においてそれぞれ実行してもよい。すなわち、登録地データをエクスポートする際には、図７のフローチャートにより、抽出条件を満たす登録地データやユーザに選択された登録地データのみをエクスポートし、それ以外の登録地データをメモリカード３に記録しないようにする。さらに、その登録地データをインポートする際には、図８のフローチャートにより、抽出条件を満たす登録地データやユーザに選択された登録地データのみをインポートするようにする。この場合、エクスポート時の抽出条件とインポート時の抽出条件を別々に設定することができる。
【００５３】
また、上記の各実施の形態では、メモリカード３を介して登録地データを移し替える例を説明したが、その他のものを介して登録地データを移し替えるようにしてもよい。たとえば、ナビゲーション装置１とナビゲーション装置２をケーブルによって接続し、そのケーブルを介して登録地データを移し替えるようにしてもよい。あるいは、ナビゲーション装置１とナビゲーション装置２の間にパーソナルコンピュータを接続し、そのパーソナルコンピュータを介して登録地データを移し替えるようにしてもよい。それ以外にも、たとえば磁気ディスクを用いたり、あるいは電波や赤外線を用いた無線通信を介して接続したりするなど、様々な方法で登録地データを移し替えることができる。
【００５４】
上記の各実施の形態では登録地データを例として説明したが、ユーザによってナビゲーション装置に登録された他の様々な登録情報についても、同様に本発明を適用することができる。たとえば、ユーザの個人情報や音楽データなどの様々な登録情報について、過去の使用回数や使用頻度などの使用履歴に基づいて、必要な登録情報のみを抽出して他のナビゲーション装置１に移し替えることができる。
【００５５】
以上説明した各実施の形態や各種の変形例はあくまで一例であり、発明の特徴が損なわれない限り、本発明はこれらの内容に限定されない。
【００５６】
以上説明した各実施の形態では、記憶手段をフラッシュメモリ１５または２５、出力手段をメモリカードスロット１０によってそれぞれ実現し、抽出手段と選択手段を制御回路１１または２１の処理によって実現している。しかし、これはあくまで一例であり、発明を解釈する際、上記の各実施形態の記載事項と特許請求の範囲の記載事項の対応関係には何ら限定も拘束もされない。
【図面の簡単な説明】
【００５７】
【図１】本発明の一実施形態によるナビゲーション装置の構成を示す図である。
【図２】登録地データの例を示す図である。
【図３】登録地データの抽出条件設定画面の例である。
【図４】抽出条件を満たす登録地データ一覧画面の例である。
【図５】抽出条件を満たさない登録地データ一覧画面の例である。
【図６】エクスポートデータ一覧画面の例である。
【図７】登録地データをエクスポートする際に実行されるフローチャートである。
【図８】登録地データをインポートする際に実行されるフローチャートである。
【符号の説明】
【００５８】
１、２：ナビゲーション装置
３：メモリカード
１０、１１：メモリカードスロット
１１、２１：制御回路
１２、２２：ＲＯＭ
１３、２３：ＲＡＭ
１４、２４：現在地検出装置
１５、２５：フラッシュメモリ
１６、２６：表示モニタ
１７、２７：入力装置
１８、２８：ディスクドライブ
１９、２９：ＤＶＤ−ＲＯＭ
【図１】
2007017332.tif 000003
【図２】
2007017332.tif 000004
【図３】
2007017332.tif 000005
【図４】
2007017332.tif 000006
【図５】
2007017332.tif 000007
【図６】
2007017332.tif 000008
【図７】
2007017332.tif 000009
【図８】
2007017332.tif 000010